(57)【特許請求の範囲】
【請求項１】
洗面ボウル本体または浴槽本体に幕板を取り付ける取付け機構であって、
前記洗面ボウル本体または前記浴槽本体に形成されたリブと着脱自在に係合する第１係合部と、前記幕板に形成された溝と着脱自在に係合する第２係合部とを有するクリップを介して、前記洗面ボウル本体または前記浴槽本体に前記幕板を取り付けることを特徴とする取付け機構。
【請求項２】
前記第１係合部は、所定の方向に沿って導入された前記リブを両側から弾性的に挟み込んで前記リブと係合し、
前記第２係合部は、弾性変形により前記溝を部分的に通過して前記溝を外側に付勢した状態で前記溝と係合することを特徴とする請求項１に記載の取付け機構。
【請求項３】
前記洗面ボウル本体または前記浴槽本体には複数のリブが形成され、
前記幕板には複数の溝が形成され、
前記幕板は複数のクリップを介して前記洗面ボウル本体または前記浴槽本体に取り付けられることを特徴とする請求項１または２に記載の取付け機構。
【発明の詳細な説明】
【０００１】
【発明の属する技術分野】
本発明は、幕板の取付け機構に関し、特に洗面ボウル本体または浴槽本体に幕板を取り付ける取付け機構に関するものである。
【０００２】
【従来の技術】
洗面化粧台などに設けられた洗面ボウルは、洗面ボウル本体と、洗面ボウル本体を前面から覆うための幕板とから構成されている。また、浴室などに設けられた浴槽は、浴槽本体と、浴槽本体を側面から覆うための幕板（エプロン）とから構成されている。
【０００３】
【発明が解決しようとする課題】
従来、洗面ボウル本体や浴槽本体に対する幕板の取付けに際して、ビスを用いる形態など様々な方法が試みられている。しかしながら、簡素な構成にしたがって洗面ボウル本体や浴槽本体に幕板を容易に、安定的に且つ確実に取り付けることのできる機構についての提案は未だなされていない。
【０００４】
本発明は、前述の課題に鑑みてなされたものであり、簡素な構成にしたがって洗面ボウル本体や浴槽本体に幕板を容易に、安定的に且つ確実に取り付けることのできる、幕板の取付け機構を提供することを目的とする。
【０００５】
【課題を解決するための手段】
前記課題を解決するために、本発明では、洗面ボウル本体または浴槽本体に幕板を取り付ける取付け機構であって、
前記洗面ボウル本体または前記浴槽本体に形成されたリブと着脱自在に係合する第１係合部と、前記幕板に形成された溝と着脱自在に係合する第２係合部とを有するクリップを介して、前記洗面ボウル本体または前記浴槽本体に前記幕板を取り付けることを特徴とする取付け機構を提供する。
【０００６】
本発明の好ましい態様によれば、前記第１係合部は、所定の方向に沿って導入された前記リブを両側から弾性的に挟み込んで前記リブと係合し、前記第２係合部は、弾性変形により前記溝を部分的に通過して前記溝を外側に付勢した状態で前記溝と係合する。また、前記洗面ボウル本体または前記浴槽本体には複数のリブが形成され、前記幕板には複数の溝が形成され、前記幕板は複数のクリップを介して前記洗面ボウル本体または前記浴槽本体に取り付けられることが好ましい。
【０００７】
【発明の実施の形態】
本発明では、洗面ボウル本体または浴槽本体に、クリップを介して、幕板を取り付ける。クリップは、洗面ボウル本体または浴槽本体に形成されたリブと着脱自在に係合する第１係合部と、幕板に形成された溝と着脱自在に係合する第２係合部とを有する。したがって、本発明では、簡素な構成にしたがって洗面ボウル本体や浴槽本体に幕板を容易に、安定的に且つ確実に取り付けることができる。
【０００８】
なお、本発明では、第１係合部は所定の方向に沿って導入されたリブを両側から弾性的に挟み込んでリブと係合し、第２係合部は弾性変形により溝を部分的に通過して溝を外側に付勢した状態で溝と係合することが好ましい。この構成により、洗面ボウル本体や浴槽本体に幕板を取り付けるための簡素な構成を有するクリップを実現することができる。
【０００９】
また、本発明では、洗面ボウル本体または浴槽本体に複数のリブが形成され、幕板に複数の溝が形成され、複数のクリップを介して洗面ボウル本体または浴槽本体に幕板を取り付けることが好ましい。この構成により、洗面ボウル本体や浴槽本体に幕板を、さらに安定的に取り付けることができる。
【００１０】
本発明の実施形態を、添付図面に基づいて説明する。
図１は、本発明の第１実施形態にかかる取付け機構が適用される洗面ボウル本体の構成を概略的に示す平面図であって、（ａ）は上面図を、（ｂ）は（ａ）の線Ａ−Ａに沿った断面図を示している。また、図２は、図１の洗面ボウル本体に取り付けられる幕板の構成を概略的に示す図であって、（ａ）は上面図を、（ｂ）は正面図を、（ｃ）は（ａ）の線Ｂ−Ｂに沿った断面図を示している。
【００１１】
さらに、図３は、洗面ボウル本体に幕板を取り付けるクリップの構成を概略的に示す図であって、（ａ）は側面図を、（ｂ）は（ａ）の線Ｃ−Ｃに沿った断面図を示している。また、図４は、図１の洗面ボウル本体に幕板を取り付ける取付け機構の構成を概略的に示す図である。第１実施形態は、たとえば洗面化粧台などに設けられた洗面ボウルに対して本発明を適用している。
【００１２】
図１を参照すると、第１実施形態の取付け機構が適用される洗面ボウル本体１は、全体的に通常の形態を有し、たとえば適当な樹脂材料を用いて一体的に成形されている。ただし、洗面ボウル本体１には、後述するように幕板２の洗面ボウル本体１への取付けに際して用いられる複数（図１では例示的に３つ）のリブ１ａが、前垂れ壁１ｂの内側に形成されている。
【００１３】
図２を参照すると、洗面ボウル本体１の前面を覆うように洗面ボウル本体１に取り付けられる幕板２も、全体的に通常の形態を有し、たとえば適当な樹脂材料を用いて一体的に成形されている。ただし、幕板２には、後述するように洗面ボウル本体１への幕板２の取付けに際して用いられる複数（図２ではリブ１ａの数に対応して３つ）の溝２ａが、洗面ボウル本体１の前垂れ壁１ｂに対応する形状を有する上側フランジ２ｂに形成されている。
【００１４】
図３を参照すると、洗面ボウル本体１に幕板２を取り付けるクリップ３は、全体的にＶ字状の形態を有し、たとえば適当な金属を用いて一体的に成形されている。さらに詳細には、クリップ３は、洗面ボウル本体１に形成されたリブ１ａと着脱自在に係合する第１係合部４と、幕板２に形成された溝２ａと着脱自在に係合する第２係合部５とを有する。
【００１５】
第１係合部４は、図３（ｂ）に示すように、鉛直方向に沿って導入された洗面ボウル本体１のリブ１ａを両側から弾性的に挟み込んでリブ１ａと係合するように構成されている。なお、図３（ｂ）において、実線は係合前の第１係合部４およびリブ１ａの状態を、破線は係合後の第１係合部４およびリブ１ａの状態を示している。なお、洗面ボウル本体１を十分な力で上方へ引き抜けば、第１係合部４とリブ１ａとの係合は解除される。このように、第１係合部４は、洗面ボウル本体１に形成されたリブ１ａと着脱自在に係合するように構成されている。
【００１６】
一方、第２係合部５は、図３（ｂ）に示すように、弾性変形により幕板２の溝２ａを部分的に通過して溝２ａを外側に付勢する状態で前記溝２ａと係合するように構成されている。なお、図３（ｂ）において、実線は係合前の第２係合部５および溝２ａの状態を、破線は係合後の第２係合部５および溝２ａの状態を示している。なお、幕板２を十分な力で下方へ引き抜けば、第２係合部５と溝２ａとの係合は解除される。このように、第２係合部５は、幕板２に形成された溝２ａと着脱自在に係合するように構成されている。
【００１７】
図４を参照すると、洗面ボウル本体１に形成されたリブ１ａと着脱自在に係合する第１係合部４（図４では不図示）と、幕板２に形成された溝２ａと着脱自在に係合する第２係合部５（図４では不図示）とを有するクリップ３を介して、洗面ボウル本体１に幕板２が取り付けられている。すなわち、たとえば洗面ボウル本体１に形成されたリブ１ａにクリップ３の第１係合部４を係合させた後に、クリップ３の第２係合部５と幕板２に形成された溝２ａとを係合させている。
【００１８】
図５は、本発明の第２実施形態にかかる取付け機構が浴槽に適用された様子を概略的に示す図である。第１実施形態では洗面化粧台などの設けられる洗面ボウルに対して本発明を適用しているが、第２実施形態では浴室などに設けられる浴槽に対して本発明を適用している。以下、第１実施形態との相違点に着目して第２実施形態を説明する。
【００１９】
図５を参照すると、第２実施形態の取付け機構が適用される浴槽本体１１は、全体的に通常の形態を有し、たとえば適当な樹脂材料を用いて一体的に成形されている。ただし、浴槽本体１１には、エプロン（幕板）１２の浴槽本体１１への取付けに際して用いられる複数のリブ１１ａが、リム（前垂れ壁）１１ｂの内側に形成されている。
【００２０】
また、浴槽本体１１の側面を覆うように浴槽本体１１に取り付けられるエプロン１２も、全体的に通常の形態を有し、たとえば適当な樹脂材料を用いて一体的に成形されている。ただし、エプロン１２には、浴槽本体１１へのエプロン１２の取付けに際して用いられる複数の溝１２ａが、浴槽本体１１のリム１１ｂに対応する形状を有する上側フランジ１２ｂに形成されている。
【００２１】
第２実施形態では、第１実施形態のクリップと同じ構成を有するクリップ３を介して、すなわち浴槽本体１１に形成されたリブ１１ａと着脱自在に係合する第１係合部４（図５では不図示）と、エプロン１２に形成された溝１２ａと着脱自在に係合する第２係合部５（図５では不図示）とを有するクリップ３を介して、浴槽本体１１にエプロン１２が取り付けられている。すなわち、たとえば浴槽本体１１に形成されたリブ１１ａにクリップ３の第１係合部４を係合させた後に、クリップ３の第２係合部５とエプロン１２に形成された溝１２ａとを係合させている。
【００２２】
以上のように、各実施形態では、洗面ボウル本体１または浴槽本体１１に、クリップ３を介して、幕板２または１２を取り付けている。クリップ３は、洗面ボウル本体１または浴槽本体１１に形成されたリブ１ａまたは１１ａと着脱自在に係合する第１係合部４と、幕板２または１２に形成された溝２ａまたは１２ａと着脱自在に係合する第２係合部５とを有する。したがって、各実施形態では、簡素な構成にしたがって洗面ボウル本体１や浴槽本体１１に幕板２または１２を容易に、安定的に且つ確実に取り付けることができる。
【００２３】
また、各実施形態では、第１係合部４は所定の方向に沿って導入されたリブ１ａまたは１１ａを両側から弾性的に挟み込んでリブ１ａまたは１１ａと係合し、第２係合部５は弾性変形により溝２ａまたは１２ａを部分的に通過して溝２ａまたは１２ａを外側に付勢した状態で溝２ａまたは１２ａと係合するので、洗面ボウル本体１や浴槽本体１１に幕板２または１２を取り付けるための簡素な構成を有するクリップ３を実現することができる。特に、四方が包囲された開口部ではなく一辺が外部に開口した溝２ａまたは１２ａを用いているので、溝２ａまたは１２ａと第２係合部５とを鉛直方向に沿って正確に整列させなくても係合が可能であり、ひいては正確に整列させなくても取外しも可能である。換言すれば、係合姿勢（取付け姿勢）および取外し姿勢の許容範囲が非常に広く、たとえば幕板２または１２を手前に引き抜くことにより洗面ボウル本体１や浴槽本体１１から取り外す形態も可能性がある。
【００２４】
さらに、各実施形態では、洗面ボウル本体１または浴槽本体１１に複数のリブ１ａまたは１１ａが形成され、幕板２または１２に複数の溝２ａまたは１２ａが形成され、複数のクリップ３を介して洗面ボウル本体１または浴槽本体１１に幕板２または１２を取り付けているので、洗面ボウル本体１や浴槽本体１１に幕板２または１２を、さらに安定的に取り付けることができる。
【００２５】
なお、上述の各実施形態では、第１係合部がリブを両側から弾性的に挟み込んで係合し、第２係合部は弾性変形により溝を部分的に通過して溝を外側に付勢した状態で係合する構成を採用しているが、これに限定されることなく、第１係合部および第２係合部の構成については本発明の範囲内において様々な変形例が可能である。
【００２６】
【発明の効果】
以上説明したように、本発明では、洗面ボウル本体または浴槽本体に形成されたリブと着脱自在に係合する第１係合部と、幕板に形成された溝と着脱自在に係合する第２係合部とを有するクリップを介して、洗面ボウル本体または浴槽本体に幕板を取り付ける。その結果、簡素な構成にしたがって洗面ボウル本体や浴槽本体に幕板を容易に、安定的に且つ確実に取り付けることができる。
【００２７】
また、本発明では、第１係合部は所定の方向に沿って導入されたリブを両側から弾性的に挟み込んでリブと係合し、第２係合部は弾性変形により溝を部分的に通過して溝を外側に付勢した状態で溝と係合する構成を採用することにより、洗面ボウル本体や浴槽本体に幕板を取り付けるための簡素な構成を有するクリップを実現することができる。
【００２８】
さらに、本発明では、洗面ボウル本体または浴槽本体に複数のリブが形成され、幕板に複数の溝が形成され、複数のクリップを介して洗面ボウル本体または浴槽本体に幕板を取り付ける構成を採用することにより、洗面ボウル本体や浴槽本体に幕板を、さらに安定的に取り付けることができる。
【図面の簡単な説明】
【図１】本発明の第１実施形態にかかる取付け機構が適用される洗面ボウル本体の構成を概略的に示す平面図であって、（ａ）は上面図を、（ｂ）は（ａ）の線Ａ−Ａに沿った断面図を示している。
【図２】図１の洗面ボウル本体に取り付けられる幕板の構成を概略的に示す図であって、（ａ）は上面図を、（ｂ）は正面図を、（ｃ）は（ａ）の線Ｂ−Ｂに沿った断面図を示している。
【図３】図３は、洗面ボウル本体に幕板を取り付けるクリップの構成を概略的に示す図であって、（ａ）は側面図を、（ｂ）は（ａ）の線Ｃ−Ｃに沿った断面図を示している。
【図４】図１の洗面ボウル本体に幕板を取り付ける取付け機構の構成を概略的に示す図である。
【図５】本発明の第２実施形態にかかる取付け機構が浴槽に適用された様子を概略的に示す図である。
【符号の説明】
１  洗面ボウル本体
１ａ  リブ
１ｂ  前垂れ壁
２  幕板
２ａ  溝
２ｂ  上側フランジ
３  クリップ
４  第１係合部
５  第２係合部
１１  浴槽本体
１１ａ  リブ
１１ｂ  リム（前垂れ壁）
１２  エプロン（幕板）
１２ａ  溝
１２ｂ  上側フランジ
【図１】
0003889957.tif 000002
【図２】
0003889957.tif 000003
【図３】
0003889957.tif 000004
【図４】
0003889957.tif 000005
【図５】
0003889957.tif 000006